(57)【要約】【課題】マクロセル基地局から小型基地局に接続する処理システムおよびその処理方法を提供する。【解決手段】マクロセル基地局から小型基地局に接続する処理システム１０は、各小型基地局３の分布位置情報と、各小型基地局３が移動通信装置４に接続する権限を与える権限リストと、が保存されるデータベース１０１と、マクロセル基地局２が検出した移動通信装置４が位置する地理範囲と、移動通信装置４の識別番号と、を受信する受信モジュール１０２と、受信モジュール１０２が受信した地理範囲情報と、移動通信装置４の識別番号と、に基づき、データベース１０１から、移動通信装置４が位置する地理範囲内に分布する少なくとも１つの小型基地局３を検索し、移動通信装置４の通信信号をマクロセル基地局２から、検索した少なくとも１つの小型基地局３に切り替える検索モジュール１０３とを含む。【選択図】図１Ａ
2011223539.tif 000002
【特許請求の範囲】
【請求項１】
移動通信装置がマクロセル基地局によって提供されるカバレッジから、小型基地局によって提供されるカバレッジに進入したとき、自動的にハンドオーバ処理を行うマクロセル基地局から小型基地局に接続する処理システムであって、前記処理システムは、
前記各小型基地局の分布位置情報と、前記各小型基地局が前記移動通信装置に接続する権限を与える権限リストと、が保存されるデータベースと、
前記マクロセル基地局が検出した移動通信装置が位置する地理範囲と、前記移動通信装置の識別番号と、を受信する受信モジュールと、
前記受信モジュールが受信した前記地理範囲情報と、前記移動通信装置の識別番号と、に基づき、前記データベースから、前記移動通信装置が位置する地理範囲内に分布する少なくとも１つの小型基地局を検索し、前記移動通信装置の通信信号をマクロセル基地局から、検索した前記少なくとも１つの小型基地局に切り替える検索モジュールと、を含むことを特徴とするマクロセル基地局から小型基地局に接続する処理システム。
【請求項２】
選択モジュールをさらに含み、前記選択モジュールは、前記検索モジュールが前記データベースから検索した前記移動通信装置が位置する地理範囲内に配置されたすべての小型基地局と、前記データベースに保存された権限リストと、に基づき、前記移動通信装置が位置する地理範囲内の、前記移動通信装置に接続する権限を与える小型基地局を選択する上、選択した前記小型基地局と、前記移動通信装置に通信サービスを提供しているマクロセル基地局と、に基づき、切替リストを作成し、前記移動通信装置の通信信号をマクロセル基地局から、前記切替リスト中の一小型基地局に切り替え、前記移動通信装置に切り替えた後の前記小型基地局と通信を行わせることを特徴とする請求項１記載のマクロセル基地局から小型基地局に接続する処理システム。
【請求項３】
前記選択モジュールは、前記移動通信装置に前記切替リスト中の小型基地局の通信状況を測定させ、前記移動通信装置がフィードバックした測定結果に基づき、前記移動通信装置の通信信号をマクロセル基地局から、通信状況を測定した小型基地局に切り替え、前記移動通信装置に通信状況を測定した小型基地局と通信を行わせることを特徴とする請求項２記載のマクロセル基地局から小型基地局に接続する処理システム。
【請求項４】
第３世代移動通信システムに応用され、前記第３世代移動通信システムのデータセンター内には、前記データベース、前記受信モジュール、前記検索モジュール、前記選択モジュールおよび前記切替リストが構築されることを特徴とする請求項２記載のマクロセル基地局から小型基地局に接続する処理システム。
【請求項５】
前記マクロセル基地局は、前記移動通信装置が位置する地理範囲を周期的に検出することを特徴とする請求項２記載のマクロセル基地局から小型基地局に接続する処理システム。
【請求項６】
前記受信モジュールは、前記移動通信装置が位置する地理範囲が変化したことを受信したとき、前記検索モジュールに前記受信モジュールが受信した地理範囲情報と、識別コードと、に基づき、前記データベースを検索させることを特徴とする請求項５記載のマクロセル基地局から小型基地局に接続する処理システム。
【請求項７】
前記選択モジュールは、判断ユニットをさらに含み、前記判断ユニットは、前記移動通信装置がフィードバックした測定結果に基づき、前記移動通信装置の通信信号をマクロセル基地局から、前記切替リスト中の一小型基地局に切り替えるか否かを判断し、前記測定結果中に通信状況を測定した小型基地局が含まれると判断したとき、切替を実行し、前記測定結果中に通信状況を測定した小型基地局が含まれないと判断したとき、前記移動通信装置が位置する地理範囲を測定する作業を実行することを特徴とする請求項５記載のマクロセル基地局から小型基地局に接続する処理システム。
【請求項８】
第３世代移動通信システムに応用され、前記第３世代移動通信システムのデータセンター内には、前記データベース、前記受信モジュールおよび前記検索モジュールが構築されることを特徴とする請求項１記載のマクロセル基地局から小型基地局に接続する処理システム。
【請求項９】
複数のマクロセル基地局、複数の小型基地局および移動通信装置により構築される通信ネットワークシステムに応用されるマクロセル基地局から小型基地局に接続する処理方法であって、前記処理方法は、
（１）前記通信ネットワークシステム内に、前記各小型基地局の分布位置情報と、前記各小型基地局が前記移動通信装置に接続する権限を与える権限リストと、が保存されるデータベースを構築するステップと、
（２）前記移動通信装置が位置する地理範囲を検出し、前記移動通信装置の識別番号を取得するステップと、
（３）前記データベースから、前記移動通信装置が位置する地理範囲内に配置された少なくとも１つの小型基地局を検索するステップと、
（４）検索した前記少なくとも１つの小型基地局と、前記データベースに保存された権限リストと、に基づき、前記移動通信装置が位置する地理範囲内の、前記移動通信装置に接続する権限を与えた前記少なくとも１つの小型基地局に、前記移動通信装置を接続するステップと、を含むことを特徴とするマクロセル基地局から小型基地局に接続する処理方法。
【請求項１０】
前記ステップ（４）において、検索した前記小型基地局と、前記データベースに保存された権限リストと、に基づき、前記移動通信装置が位置する地理範囲内の、前記移動通信装置に接続する権限を与える前記小型基地局を選択し、選択した前記小型基地局と、前記移動通信装置に通信サービスを提供しているマクロセル基地局と、に基づき、切替リストを作成し、前記切替リスト中の前記小型基地局の通信状況を測定し、前記測定結果に基づき、前記移動通信装置の通信信号をマクロセル基地局から、通信状況を測定した小型基地局に切り替え、前記移動通信装置に通信状況を測定した前記小型基地局と通信を行わせることを特徴とする請求項９記載のマクロセル基地局から小型基地局に接続する処理方法。
【請求項１１】
前記切替リスト中の小型基地局の通信状況を測定し、前記測定結果に基づき、前記移動通信装置の通信信号をマクロセル基地局から、通信状況を測定した小型基地局に切り替え、前記移動通信装置に前記通信状況を測定した小型基地局と通信を行わせることを特徴とする請求項１０記載のマクロセル基地局から小型基地局に接続する処理方法。
【請求項１２】
前記測定結果に基づき、前記移動通信装置の通信信号をマクロセル基地局から、前記切替リスト中の一小型基地局に接続するか否かを判断し、前記測定結果中に通信状況を測定した小型基地局が含まれると判断したとき、切替を実行し、前記測定結果中に通信状況を測定した小型基地局が含まれないと判断したとき、ステップ（２）に戻ることを特徴とする請求項１０記載のマクロセル基地局から小型基地局に接続する処理方法。
【請求項１３】
前記ステップ（２）の検出作業において、前記移動通信装置が位置する地理範囲の検出は、周期的に行われることを特徴とする請求項９記載のマクロセル基地局から小型基地局に接続する処理方法。
【請求項１４】
前記ステップ（２）の検出作業において、前記移動通信装置が位置する地理範囲が変化したことを検出したとき、前記移動通信装置の識別番号を取得する上、ステップ（３）に進むことを特徴とする請求項１３記載のマクロセル基地局から小型基地局に接続する処理方法。
【発明の詳細な説明】
【技術分野】
【０００１】
本発明は、異なる通信システムにハンドオーバ（Ｈａｎｄｏｖｅｒ）する技術に関し、特に、マクロセル基地局から、例えば、フェムトセル（Ｆｅｍｔｏｃｅｌｌ）基地局などの小型基地局に接続する処理システムおよびその処理方法に関する。
【背景技術】
【０００２】
無線通信ネットワークシステムの基地局は、地域におけるユーザ特性に応じ、様々な機能の基地局が配置されて使用される。例えば、カバレッジ（ｃｏｖｅｒａｇｅ）の大きいマクロセル（Ｍａｃｒｏ  ｃｅｌｌ）基地局は、人口が少なく、ユーザの移動速度が速い地域に対応することができ、マクロセル基地局により、広い通話エリアが確保される。しかし、ビルの密集度が高まり、建物内で移動通信を行うユーザが増加する中、マクロセル基地局は、電波が室内領域に届きにくいという欠点が存在する。また、移動通信を行うユーザが多い場合、マクロセルシステムでは、通信容量（ｃａｐａｃｉｔｙ）に限界があるという問題が存在する。
【０００３】
一方、フェムトセル（Ｆｅｍｔｏｃｅｌｌ）基地局は、移動通信ネットワークのカバレッジを拡張できる上、システムの通信容量が大きいため、前述のマクロセル基地局に存在する問題を解決することができる。しかし、実際に応用する上では、マクロセルシステムとフェムトセルシステムとの整合性の問題が存在する。詳細に述べると、フェムトセルシステム内の基地局またはアクセスポイント設備は、数が多い上、それぞれがランダムにオン／オフを行う。そのため、マクロセルシステムのカバレッジ内の、近隣のフェムトセルシステム内の基地局またはアクセスポイントの情報および運転パラメータを予め取得することができない。従って、移動通信装置に周辺のフェムトセルシステム内の基地局またはアクセスポイントを通知することができない。即ち、移動通信装置がマクロセルシステムのカバレッジから、フェムトセルシステムのカバレッジに進入したとき、移動通信装置に、マクロセルシステムからの信号受信から、フェムトセルシステムからの信号受信に切り替えさせることができない。即ち、マクロセルシステムとフェムトセルシステムとの間のハンドオーバ（Ｈａｎｄｏｖｅｒ）処理を実現することは、不可能であった。
【０００４】
そのため、マクロセルシステムとフェムトセルシステムとの間、或いは、マクロセルシステムと小型基地局との間のハンドオーバを実現する技術の開発が求められていた。
【発明の概要】
【発明が解決しようとする課題】
【０００５】
本発明の目的は、移動通信装置がマクロセル基地局によって提供されるカバレッジから、小型基地局によって提供されるカバレッジに進入したとき、移動通信装置に、マクロセル基地局からの信号受信から、小型基地局からの信号受信に切り替えさせることができるマクロセル基地局から小型基地局に接続する処理システムおよびその処理方法を提供することにある。
【課題を解決するための手段】
【０００６】
上記課題を解決するために、本発明の第１の形態によれば、移動通信装置がマクロセル基地局によって提供されるカバレッジから、小型基地局によって提供されるカバレッジに進入したとき、自動的にハンドオーバ処理を行うマクロセル基地局から小型基地局に接続する処理システムであって、前記処理システムは、前記各小型基地局の分布位置情報と、前記各小型基地局が前記移動通信装置に接続する権限を与える権限リストと、が保存されるデータベースと、前記マクロセル基地局が検出した移動通信装置が位置する地理範囲と、前記移動通信装置の識別番号と、を受信する受信モジュールと、前記受信モジュールが受信した前記地理範囲情報と、前記移動通信装置の識別番号と、に基づき、前記データベースから、前記移動通信装置が位置する地理範囲内に分布する少なくとも１つの小型基地局を検索し、前記移動通信装置の通信信号をマクロセル基地局から、検索した前記少なくとも１つの小型基地局に切り替える検索モジュールと、を含むことを特徴とするマクロセル基地局から小型基地局に接続する処理システムが提供される。
【０００７】
また、選択モジュールをさらに含み、前記選択モジュールは、前記検索モジュールが前記データベースから検索した前記移動通信装置が位置する地理範囲内に配置されたすべての小型基地局と、前記データベースに保存された権限リストと、に基づき、前記移動通信装置が位置する地理範囲内の、前記移動通信装置に接続する権限を与える小型基地局を選択する上、選択した前記小型基地局と、前記移動通信装置に通信サービスを提供しているマクロセル基地局と、に基づき、切替リストを作成し、前記移動通信装置の通信信号をマクロセル基地局から、前記切替リスト中の一小型基地局に切り替え、前記移動通信装置に切り替えた後の前記小型基地局と通信を行わせることが好ましい。
【０００８】
また、前記選択モジュールは、前記移動通信装置に前記切替リスト中の小型基地局の通信状況を測定させ、前記移動通信装置がフィードバックした測定結果に基づき、前記移動通信装置の通信信号をマクロセル基地局から、通信状況を測定した小型基地局に切り替え、前記移動通信装置に通信状況を測定した小型基地局と通信を行わせることが好ましい。
【０００９】
また、第３世代移動通信システムに応用され、前記第３世代移動通信システムのデータセンター内には、前記データベース、前記受信モジュール、前記検索モジュール、前記選択モジュールおよび前記切替リストが構築されることが好ましい。
【００１０】
また、前記マクロセル基地局は、前記移動通信装置が位置する地理範囲を周期的に検出することが好ましい。
【００１１】
また、前記受信モジュールは、前記移動通信装置が位置する地理範囲が変化したことを受信したとき、前記検索モジュールに前記受信モジュールが受信した地理範囲情報と、識別コードと、に基づき、前記データベースを検索させることが好ましい。
【００１２】
また、前記選択モジュールは、判断ユニットをさらに含み、前記判断ユニットは、前記移動通信装置がフィードバックした測定結果に基づき、前記移動通信装置の通信信号をマクロセル基地局から、前記切替リスト中の一小型基地局に切り替えるか否かを判断し、前記測定結果中に通信状況を測定した小型基地局が含まれると判断したとき、切替を実行し、前記測定結果中に通信状況を測定した小型基地局が含まれないと判断したとき、前記移動通信装置が位置する地理範囲を測定する作業を実行することが好ましい。
【００１３】
また、第３世代移動通信システムに応用され、前記第３世代移動通信システムのデータセンター内には、前記データベース、前記受信モジュールおよび前記検索モジュールが構築されることが好ましい。
【００１４】
上記課題を解決するために、本発明の第２の形態によれば、複数のマクロセル基地局、複数の小型基地局および移動通信装置により構築される通信ネットワークシステムに応用されるマクロセル基地局から小型基地局に接続する処理方法であって、前記処理方法は、（１）前記通信ネットワークシステム内に、前記各小型基地局の分布位置情報と、前記各小型基地局が前記移動通信装置に接続する権限を与える権限リストと、が保存されるデータベースを構築するステップと、（２）前記移動通信装置が位置する地理範囲を検出し、前記移動通信装置の識別番号を取得するステップと、（３）前記データベースから、前記移動通信装置が位置する地理範囲内に配置された少なくとも１つの小型基地局を検索するステップと、（４）検索した前記少なくとも１つの小型基地局と、前記データベースに保存された権限リストと、に基づき、前記移動通信装置が位置する地理範囲内の、前記移動通信装置に接続する権限を与えた前記少なくとも１つの小型基地局に、前記移動通信装置を接続するステップと、を含むことを特徴とするマクロセル基地局から小型基地局に接続する処理方法が提供される。
【００１５】
また、前記ステップ（４）において、検索した前記小型基地局と、前記データベースに保存された権限リストと、に基づき、前記移動通信装置が位置する地理範囲内の、前記移動通信装置に接続する権限を与える前記小型基地局を選択し、選択した前記小型基地局と、前記移動通信装置に通信サービスを提供しているマクロセル基地局と、に基づき、切替リストを作成し、前記切替リスト中の前記小型基地局の通信状況を測定し、前記測定結果に基づき、前記移動通信装置の通信信号をマクロセル基地局から、通信状況を測定した小型基地局に切り替え、前記移動通信装置に通信状況を測定した前記小型基地局と通信を行わせることが好ましい。
【００１６】
また、前記切替リスト中の小型基地局の通信状況を測定し、前記測定結果に基づき、前記移動通信装置の通信信号をマクロセル基地局から、通信状況を測定した小型基地局に切り替え、前記移動通信装置に前記通信状況を測定した小型基地局と通信を行わせることが好ましい。
【００１７】
また、前記測定結果に基づき、前記移動通信装置の通信信号をマクロセル基地局から、前記切替リスト中の一小型基地局に接続するか否かを判断し、前記測定結果中に通信状況を測定した小型基地局が含まれると判断したとき、切替を実行し、前記測定結果中に通信状況を測定した小型基地局が含まれないと判断したとき、ステップ（２）に戻ることが好ましい。
【００１８】
また、前記ステップ（２）の検出作業において、前記移動通信装置が位置する地理範囲の検出は、周期的に行われることが好ましい。
【００１９】
また、前記ステップ（２）の検出作業において、前記移動通信装置が位置する地理範囲が変化したことを検出したとき、前記移動通信装置の識別番号を取得する上、ステップ（３）に進むことが好ましい。
【発明の効果】
【００２０】
本発明のマクロセル基地局から小型基地局に接続する処理システムおよびその処理方法は、移動通信装置に、マクロセル基地局との通信から、フェムトセル基地局との通信に自動的に切り替えさせることができるため、従来技術における、移動通信装置がマクロセルシステムから、フェムトセルシステムに切り替えられないという問題を解決することができる。
【図面の簡単な説明】
【００２１】
【図１Ａ】本発明の第１実施形態によるマクロセル基地局から小型基地局に接続する処理システムを示すブロック図である。
【図１Ｂ】本発明の第２実施形態によるマクロセル基地局から小型基地局に接続する処理システムを示すブロック図である。
【図２Ａ】本発明の第１実施形態によるマクロセル基地局から小型基地局に接続する処理方法を示す流れ図である。
【図２Ｂ】本発明の第２実施形態によるマクロセル基地局から小型基地局に接続する処理方法を示す流れ図である。
【発明を実施するための形態】
【００２２】
以下、本発明の実施形態について図に基づいて説明する。なお、これによって本発明が限定されるものではない。
【００２３】
（第１実施形態）
図１Ａを参照する。図１Ａは、本発明の第１実施形態によるマクロセル基地局から小型基地局に接続する処理システムを示すブロック図である。図１Ａに示すように、本発明のマクロセル基地局から小型基地局に接続する処理システム１０は、移動通信装置４がマクロセル（Ｍａｃｒｏ  ｃｅｌｌ）基地局２によって提供されるカバレッジから、例えば、フェムトセル（Ｆｅｍｔｏｃｅｌｌ）基地局などの小型基地局３によって提供されるカバレッジに進入したとき、自動的にハンドオーバ（ｈａｎｄｏｖｅｒ）処理を行うことにより、移動通信装置４が本来受けていたサービスが中断されないようにするものである。本実施形態では、切替原理を詳細に説明するため、マクロセル基地局２、小型基地局３および移動通信装置４がそれぞれ１つの場合を例に説明を行う。
【００２４】
第１実施形態において、マクロセル基地局から小型基地局に接続する処理システム１０は、例えば、第３世代移動通信システム（３Ｇ）に応用することができる。また、小型基地局３およびマクロセル基地局２中には、基地局が移動通信装置に接続する権限を与える権限リストが保存されるため、本実施形態の移動通信装置４は、小型システムおよびマクロセルシステムのユーザ資格を有する。また、移動通信装置４は、３ＧＰＰ  Ｒｅｌｅａｓｅ９９，Ｒｅｌｅａｓｅ４，Ｒｅｌｅａｓｅ５，Ｒｅｌｅａｓｅ６，Ｒｅｌｅａｓｅ７，Ｒｅｌｅａｓｅ８および後続の３Ｇに対応し、測位機能を有するＷＣＤＭＡ端末およびＴＤ−ＳＣＤＭＡ端末に適用される。
【００２５】
第１実施形態において、マクロセル基地局から小型基地局に接続する処理システム１０は、データベース１０１、受信モジュール１０２および検索モジュール１０３を含む。前述の第３世代移動通信システムに基づいて述べると、本実施形態のデータベース１０１、受信モジュール１０２および検索モジュール１０３は、第３世代移動通信システムのデータセンター内に構築することができる。データベース１０１には、各小型基地局３の分布位置情報と、小型システムのパラメータ情報と、各小型基地局３が移動通信装置４に接続する権限を与える権限リストと、が保存される。また、データベース１０１に保存される移動通信装置４に接続する権限を与える権限リストは、小型基地局３に保存される小型基地局３が移動通信装置４に接続する権限を与える権限リストに対応する。
【００２６】
第１実施形態において、小型システムのパラメータ情報は、少なくとも、小型基地局３の送信信号パワー、小型基地局３のセル半径、小型基地局３の識別番号（ｃｅｌｌ  ＩＤ）および小型基地局３のＩＰアドレスを含む。
【００２７】
受信モジュール１０２は、マクロセル基地局２が検出した移動通信装置４が位置する地理範囲と、移動通信装置４の識別番号と、を受信する。本実施形態において、マクロセル基地局２は、移動通信装置４が位置する地理範囲を周期的に検出する。実際には、例えば、マクロセル基地局２が１０秒に１回、移動通信装置４が位置する地理範囲を検出する。当然、マクロセル基地局２の検出周期は、１０秒に１回に限定されず、必要に合わせて設定することができる。
【００２８】
検出モジュール１０３は、受信モジュール１０２が受信した地理範囲情報と、移動通信装置４の識別番号と、を受信した後、データベース１０１から、移動通信装置４が位置する地理範囲内に配置された少なくとも１つの小型基地局３を検索し、移動通信装置４の通信信号をマクロセル基地局２から、検索した少なくとも１つの小型基地局３に切り替える。
【００２９】
本発明のマクロセル基地局から小型基地局に接続する処理システムにより、移動通信装置をマクロセルシステムから、小型システムにハンドオーバ処理することができる。
【００３０】
（第２実施形態）
図１Ｂを参照する。図１Ｂは、本発明の第２実施形態によるマクロセル基地局から小型基地局に接続する処理システムを示すブロック図である。本実施形態によるマクロセル基地局から小型基地局に接続する処理システム１０’は、選択モジュール１０４および切替リスト１０５をさらに含む点が第１実施形態と異なる。本実施形態の検索モジュール１０３は、受信モジュール１０２が受信した移動通信装置４が位置する地理範囲情報と、移動通信装置４の識別番号と、を受信した後、データベース１０１から、移動通信装置４が位置する地理範囲に基づき、地理範囲内に配置されたすべての小型基地局３を検索する。例えば、受信モジュール１０２が受信した移動通信装置４が位置する地理範囲をＡ区とすると、検索モジュール１０３は、データベース１０１から、Ａ区内に配置されたすべての小型基地局３を検索する上、検索したすべての小型基地局３を羅列する。
【００３１】
選択モジュール１０４は、検索モジュール１０３が検索したすべての小型基地局３と、データベース１０１に保存された権限リストと、に基づき、移動通信装置４が位置する地理範囲内の、移動通信装置４に接続する権限を与える小型基地局３を選択する。
【００３２】
具体的に述べると、選択モジュール１０４は、切替対象を選択するのに都合が良いように、選択した小型基地局３と、移動通信装置４に通信サービスを提供しているマクロセル基地局２と、に基づき、切替リスト１０５を作成する。次に、移動通信装置４の通信信号をマクロセル基地局２から、切替リスト１０５中の一小型基地局３に切り替え、移動通信装置４に切り替えた後の小型基地局３と通信を行わせる。
【００３３】
また、選択モジュール１０４は、移動通信装置４に切替リスト１０５中の小型基地局３の通信状況を測定させる上、移動通信装置４がフィードバックした測定結果（図示せず）に基づき、移動通信装置４の通信信号をマクロセル基地局２から、測定した小型基地局３中の通信状況が好適な一小型基地局３に切り替え、移動通信装置４に通信状況の好適な小型基地局３と通信を行わせる。
【００３４】
即ち、選択モジュール１０４は、移動通信装置４が位置するマクロセル基地局２のカバレッジ内の移動通信装置４に接続する権限を与える小型基地局３を切替対象として選択する。これにより、移動通信装置４がマクロセル基地局２のカバレッジから外れた後、小型基地局３によって移動通信装置４が必要な通信サービスが提供されるため、移動通信装置４が本来受けていたサービスが中断することがない。
【００３５】
第２実施形態において、選択モジュール１０４は、判断ユニット１０４０をさらに含む。判断ユニット１０４０は、移動通信装置４がフィードバックした測定結果に基づき、移動通信装置４の通信信号をマクロセル基地局２から、切替リスト１０５中の一小型基地局３に切り替えるか否かを判断する。切り替える場合、切替を実行する。切り替えない場合、受信モジュール１０２により、マクロセル基地局２が検出した移動通信装置４が位置する地理範囲と、移動通信装置４の識別番号と、が継続して受信される。
【００３６】
第２実施形態において、移動通信装置４の通信信号をマクロセル基地局２から、切替リスト１０５中の一小型基地局３に切り替える方式は、ソフトハンドオフでもハードハンドオフでもよい。
【００３７】
また、本発明の他の実施形態において、受信モジュール１０２または検索モジュール１０３は、移動通信装置４が位置する地理範囲が変化したことを受信したとき、検索モジュール１０３にマクロセル基地局２のカバレッジ内に近隣の小型基地局３が存在するか否かを再び検索させる。
【００３８】
前述の第３世代移動通信システムに基づいて述べると、図１Ｂに示す選択モジュール１０４および切替リスト１０５は、第３世代移動通信システムのデータセンター内に構築することができる。
【００３９】
（第１実施形態）
図２Ａを参照する。図２Ａは、本発明の第１実施形態によるマクロセル基地局から小型基地局に接続する処理方法を示す流れ図である。本実施形態によるマクロセル基地局から小型基地局に接続する処理方法は、複数のマクロセル基地局、複数の小型基地局および少なくとも１つの移動通信装置により構築される通信ネットワークシステムに応用することができる。特に強調すべきこととして、本実施形態における通信ネットワークは、例えば、第３世代移動通信システム（３Ｇ）とすることができる。
【００４０】
第１実施形態において、移動通信装置は、３ＧＰＰ  Ｒｅｌｅａｓｅ９９，Ｒｅｌｅａｓｅ４，Ｒｅｌｅａｓｅ５，Ｒｅｌｅａｓｅ６，Ｒｅｌｅａｓｅ７，Ｒｅｌｅａｓｅ８および後続の３Ｇに対応し、測位機能を有するＷＣＤＭＡ端末およびＴＤ−ＳＣＤＭＡ端末に適用される。
【００４１】
本発明の第１実施形態による処理方法は、少なくとも以下のステップを含む。
【００４２】
ステップ１：通信ネットワークシステム内にデータベースを構築する。データベースには、各小型基地局の分布位置情報と、小型システムのパラメータ情報と、移動通信装置に接続する権限を与える権限リストと、が保存される。また、データベースに保存される移動通信装置に接続する権限を与える権限リストは、小型基地局に保存される小型基地局が移動通信装置に接続する権限を与える権限リストに対応する。本実施形態において、小型システムのパラメータ情報は、少なくとも、小型基地局の送信信号パワー、小型基地局のセル半径、小型基地局の識別番号および小型基地局のＩＰアドレス（ＩＰ  ａｄｄｒｅｓｓ）を含む。次にステップ２に進む。
【００４３】
ステップ２：移動通信装置が位置する地理範囲を検出し、移動通信装置の識別番号を取得する。次にステップ３に進む。
【００４４】
ステップ３：データベースから、移動通信装置が位置する地理範囲内に配置された少なくとも１つの小型基地局を検索する。次にステップ４に進む。
【００４５】
ステップ４：検索した少なくとも１つの小型基地局と、データベースに保存された権限リストと、に基づき、移動通信装置が位置する地理範囲内の、移動通信装置に接続する権限が与えられた少なくとも１つの小型基地局に、移動通信装置を接続する。
【００４６】
（第２実施形態）
図２Ｂを参照する。図２Ｂは、本発明の第２実施形態によるマクロセル基地局から小型基地局に接続する処理方法を示す流れ図である。本実施形態による処理方法は、移動通信装置が位置する地理範囲に基づいて検索された、地理範囲内に配置されたすべての小型基地局と、前述の権限リストと、に基づき、移動通信装置が位置する地理範囲内の、移動通信装置に接続する権限を与える小型基地局が選択され、切替リスト（作成方式は、後ほど詳細に説明する）が作成される点が図２Ａに示す第１実施形態と異なる。また、本実施形態による処理方法は、複数のマクロセル基地局、複数の小型基地局および少なくとも１つの移動通信装置により構築される通信システムネットワークに応用することができる。本実施形態による処理方法は、少なくとも以下のステップを含む。
【００４７】
ステップ１０：通信ネットワークシステム内にデータベースを構築する。データベースには、各小型基地局の分布位置情報と、小型システムのパラメータ情報と、移動通信装置に接続する権限を与える権限リストと、が保存される。また、データベースに保存される移動通信装置に接続する権限を与える権限リストは、小型基地局に保存される小型基地局が移動通信装置に接続する権限を与える権限リストに対応する。次にステップ２０に進む。
【００４８】
ステップ２０：マクロセル基地局が移動通信装置が位置する地理範囲を検出する上、検出した地理範囲情報と、移動通信装置の識別番号と、を通信ネットワークシステムに送信する。本実施形態においては、マクロセル基地局が移動通信装置が位置する地理範囲を周期的に検出する。例えば、マクロセル基地局が１０秒に１回、移動通信装置が位置する地理範囲を検出する。当然、検出周期は、１０秒に１回に限定されず、必要に応じて設定することができる。例えば、検出作業中、移動通信装置が位置する地理範囲が変化したことを検出したとき、地理範囲情報および移動通信装置の識別番号を通信ネットワークシステムに送信する。次にステップ３０に進む。
【００４９】
ステップ３０：通信ネットワークシステムが移動通信装置の識別コードに基づき、データベースから、移動通信装置が位置する地理範囲内に配置されたすべての小型基地局を検索する。例えば、ステップ２０において検出した移動通信装置が位置する地理範囲をＡ区とすると、本ステップにおいて、データベースから、Ａ区内に配置されたすべての小型基地局を検索する上、検索したすべての小型基地局を羅列する。次にステップ４０に進む。
【００５０】
ステップ４０：通信ネットワークシステムが検索した小型基地局と、データベースに保存された権限リストと、に基づき、移動通信装置が位置する地理範囲内の、移動通信装置に接続する権限を与える小型基地局を選択する。次にステップ５０に進む。
【００５１】
ステップ５０：切替対象を選択するのに都合がよいように、通信ネットワークシステムが選択した小型基地局と、移動通信装置に通信サービスを提供しているマクロセル基地局と、に基づき、切替リストを作成する。次にステップ６０に進む。
【００５２】
ステップ６０：通信ネットワークシステムが移動通信装置に切替リスト中の小型基地局の通信状況を測定させる上、移動通信装置がフィードバックした測定結果を受信する。次にステップ７０に進む。
【００５３】
ステップ７０：通信ネットワークシステムが移動通信装置がフィードバックした測定結果に基づき、移動通信装置の通信信号をマクロセル基地局から、切替リスト中の一小型基地局に切り替えるか否かを判断する。切り替える場合、ステップ８０に進む。切り替えない場合、ステップ２０に戻る。
【００５４】
ステップ８０：移動通信装置の通信信号をマクロセル基地局から、切替リスト中の小型基地局に切り替え、移動通信装置に小型基地局を通じて通信を行わせる。本実施形態において、移動通信装置の通信信号をマクロセル基地局から、切替リスト中の小型基地局に切り替える方式は、ソフトハンドオフでもハードハンドオフでもよい。
【００５５】
ここで、前述の通信ネットワークシステムは、例えば、第３世代移動通信システム（３Ｇ）であり、前述の権限リストが保存されるデータベースと、切替リストとは、第３世代移動通信システムのデータセンターに構築することができる。
【００５６】
従来技術においては、フェムトセルシステムの基地局の数が多い上、それぞれがランダムにオン／オフを行うため、通信ネットワークシステムのデータセンターが、移動通信装置に通信サービスを提供するマクロセルシステムのカバレッジ内の、近隣のフェムトセルシステム内の基地局の情報と、フェムトセルシステムのパラメータ状況と、を予め取得することができない。このため、移動通信装置に周辺のフェムトセル基地局のリストを通知することができない。このため、移動通信装置は、フェムトセル基地局の信号を測定することができず、フェムトセル基地局に切り替えることができなかった。しかし、上述の説明から分かるように、本発明のマクロセル基地局から小型基地局に接続する処理システムおよびその処理方法は、上述の従来技術の問題を解決することができる。また、本発明により、移動通信装置の通信信号をマクロセル基地局から、接続したい小型システムの基地局に切り替えることができる。
【００５７】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５８】
２  マクロセル基地局
３  小型基地局
４  移動通信装置
１０  マクロセル基地局から小型基地局に接続する処理システム
１０’  マクロセル基地局から小型基地局に接続する処理システム
１０１  データベース
１０２  受信モジュール
１０３  検索モジュール
１０４  選択モジュール
１０５  切替リスト
１０４０  判断ユニット
【図１Ａ】
2011223539.tif 000003
【図１Ｂ】
2011223539.tif 000004
【図２Ａ】
2011223539.tif 000005
【図２Ｂ】
2011223539.tif 000006